【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
符号化されるカラー・ピクチャから輝度成分（Ｌ）および２つのクロミナンス成分（Ｃ１，Ｃ２）を取得することと、最終輝度成分（Ｌ”）および２つの最終クロミナンス成分（Ｃ１”，Ｃ２”）を取得することと、前記最終輝度成分（Ｌ”）および少なくとも１つの最終クロミナンス成分を符号化することと、を含む、色成分を有するカラー・ピクチャを符号化する方法において、
前記輝度成分（Ｌ）の各画素（ｉ）の値に基づいて第１のファクタ（β−１（Ｌ（ｉ）））を決定することと、
前記２つのクロミナンス成分（Ｃ１，Ｃ２）を前記第１のファクタでスケーリングすることによって前記２つの最終クロミナンス成分（Ｃ１”，Ｃ２”）を取得することと、
前記輝度成分（Ｌ）と前記２つの最終クロミナンス成分（Ｃ１”，Ｃ２”）とを
Ｌ”＝Ｌ−ｍＣ”１−ｎＣ”２
に従って線形結合することによって前記最終輝度成分（Ｌ”）を取得することであって、Ｌは前記輝度成分であり、Ｌ”は前記最終輝度成分であり、Ｃ”１およびＣ”２は前記２つの最終クロミナンス成分であり、ｍおよびｎはヌルでない係数である、該取得することと、
をさらに含むことを特徴とする、前記方法。
【請求項２】
前記係数ｍおよびｎをローカルまたは遠隔のメモリに記憶すること、および／または、前記係数ｍおよびｎをビットストリームに追加することをさらに含む、請求項１に記載の方法。
【請求項３】
前記第１のファクタは、前記輝度成分（Ｌ）の画素（ｉ）の特定の値についてルップアップ・テーブルから得られる、請求項１または２に記載の方法。
【請求項４】
前記輝度成分（Ｌ）の画素（ｉ）の特定の値についての前記第１のファクタは、前記ルップアップ・テーブルの値を補間することによって得られる、請求項３に記載の方法。
【請求項５】
前記第１のファクタはさらに、前記係数ｍおよびｎに依存する、請求項１から４のいずれか１項に記載の方法。
【請求項６】
前記第１のファクタは、前記最終輝度成分（Ｌ”）および前記最終クロミナンス成分（Ｃ”１，Ｃ”２）から得られる色の色域と符号化される前記カラー・ピクチャの色の色域との間で計算される色域歪みが最小限に抑えられるように取得される、請求項５に記載の方法。
【請求項７】
符号化される前記カラー・ピクチャから輝度成分（Ｌ）および２つのクロミナンス成分（Ｃ１，Ｃ２）を取得することは、
輝度成分（Ｌ）を取得することであって、
前記カラー・ピクチャの輝度（Ｙ）から変調値（Ｂａ）を取得することと、
前記カラー・ピクチャの前記輝度（Ｙ）を前記変調値（Ｂａ）で除算することによって、スケーリングされた輝度を取得することと、
前記輝度成分（Ｌ）のダイナミックが前記スケーリングされた輝度のダイナミックと比較して小さくなるように、前記スケーリングされた輝度に非線形関数を適用することによって前記輝度成分（Ｌ）を取得することと、
を含む、前記輝度成分（Ｌ）を取得することと、
２つのクロミナンス成分（Ｃ１，Ｃ２）を取得することであって、
前記輝度成分（Ｌ（ｉ））の画素（ｉ）の値と前記カラー・ピクチャ内の共通の位置にある画素（ｉ）の輝度値（Ｙ（ｉ））とによって決まる第２のファクタ（ｒ（Ｌ（ｉ）））を取得することと、
各色成分（Ｅｃ）に第２のファクタ（ｒ（Ｌ））を乗算することによって少なくとも１つの中間色成分（Ｅ’ｃ）を取得することと、
前記少なくとも１つの中間色成分（Ｅ’ｃ）から前記少なくとも２つのクロミナンス成分（Ｃ１，Ｃ２）を取得することと、
を含む、前記２つのクロミナンス成分（Ｃ１，Ｃ２）を取得することと、
を含む、請求項１から６のいずれか１項に記載の方法。
【請求項８】
ビットストリームから輝度成分（Ｌ”）および２つのクロミナンス成分（Ｃ１”，Ｃ２”）を取得することと、
前記２つのクロミナンス成分（Ｃ１”，Ｃ２”）から２つの最終クロミナンス成分（Ｃ１，Ｃ２）を取得することと、
最終輝度成分（Ｌ）および前記２つの最終クロミナンス成分から、復号されるカラー・ピクチャを取得することと、を含む、ビットストリームからカラー・ピクチャを復号する方法において、
前記２つの最終クロミナンス成分を取得することが、
前記最終輝度成分（Ｌ）の各画素（ｉ）の値から第１のファクタ（β−１（Ｌ（ｉ）））を取得することと、
前記２つのクロミナンス成分（Ｃ１”，Ｃ２”）に前記第１のファクタを乗算することによって、前記２つの最終クロミナンス成分（Ｃ１，Ｃ２）を取得することと、
前記輝度成分（Ｌ”）と前記２つのクロミナンス成分とを
Ｌ＝Ｌ”＋ｍＣ”１＋ｎＣ”２
に従って線形結合することによって前記最終輝度成分（Ｌ）を取得することであって、Ｌは前記最終輝度成分であり、Ｌ”は前記輝度成分であり、Ｃ”１およびＣ”２は前記２つのクロミナンス成分であり、ｍおよびｎはヌルでない係数である、該取得することと、
を含むことを特徴とする、前記方法。
【請求項９】
前記最終輝度成分（Ｌ）および前記２つの最終クロミナンス成分（Ｃ１，Ｃ２）から、復号される前記カラー・ピクチャを取得することは、
第１の成分（Ｙ）を取得することであって、
結果的に生じる成分のダイナミックが前記最終輝度成分（Ｌ）のダイナミックと比較して大きくなるように、前記最終輝度成分（Ｌ）に非線形関数を適用することによって前記結果的に生じる成分を取得することと、
復号される前記カラー・ピクチャの輝度から変調値（Ｂａ）を取得することと、
前記結果的に生じる成分に前記変調値を乗算することによって前記第１の成分（Ｙ）を取得することと、
を含む、前記第１の成分（Ｙ）を取得することと、
前記最終輝度成分（Ｌ）の画素（ｉ）の値（Ｌ（ｉ））によって決まる第２のファクタ（ｒ（Ｌ（ｉ）））を取得することと、
前記第１の成分（Ｙ）、前記２つの最終クロミナンス成分（Ｃ１，Ｃ２）、および前記第２のファクタ（ｒ（Ｌ（ｉ）））から少なくとも１つの色成分（Ｅｃ）を取得することと、
前記少なくとも１つの色成分（Ｅｃ）を結合することによって、復号されたピクチャを形成することと、
を含む、請求項８に記載の方法。
【請求項１０】
符号化されるカラー・ピクチャから輝度成分（Ｌ）および２つのクロミナンス成分（Ｃ１，Ｃ２）を取得し、最終輝度成分（Ｌ”）および２つの最終クロミナンス成分（Ｃ１”，Ｃ２”）を取得し、かつ前記最終輝度成分（Ｌ”）および少なくとも１つの最終クロミナンス成分を符号化するように構成されたプロセッサを含む、色成分を有するカラー・ピクチャを符号化するデバイスにおいて、前記プロセッサがさらに、
前記輝度成分（Ｌ）の各画素（ｉ）の値に基づいて第１のファクタ（β−１（Ｌ（ｉ）））を決定し、
前記２つのクロミナンス成分を前記第１のファクタでスケーリングすることによって前記２つの最終クロミナンス成分（Ｃ１”，Ｃ２”）を取得し、
前記輝度成分（Ｌ）と前記２つの最終クロミナンス成分（Ｃ１”，Ｃ２”）とを
Ｌ”＝Ｌ−ｍＣ”１−ｎＣ”２
に従って線形結合することによって前記最終輝度成分（Ｌ”）を取得するように構成されており、Ｌは前記輝度成分であり、Ｌ”は前記最終輝度成分であり、Ｃ”１およびＣ”２は前記２つの最終クロミナンス成分であり、ｍおよびｎはヌルでない係数である、
ことを特徴とする、前記デバイス。
【請求項１１】
ビットストリームから輝度成分（Ｌ”）および２つのクロミナンス成分（Ｃ１”，Ｃ２”）を取得し、
前記２つのクロミナンス成分から２つの最終クロミナンス成分（Ｃ１，Ｃ２）を取得し、
前記２つの最終クロミナンス成分（Ｃ１，Ｃ２）から、復号されるカラー・ピクチャを取得するように構成されたプロセッサを含む、ビットストリームからカラー・ピクチャを復号するデバイスにおいて、前記プロセッサが、
前記最終輝度成分（Ｌ）の各画素（ｉ）の値から第１のファクタ（β−１（Ｌ（ｉ））を取得することと、
前記２つのクロミナンス成分（Ｃ１”，Ｃ２”）に前記第１のファクタを乗算することによって、前記２つの最終クロミナンス成分（Ｃ１，Ｃ２）を取得することと、
前記輝度成分（Ｌ”）と前記２つのクロミナンス成分（Ｃ１”，Ｃ２”）とを
Ｌ＝Ｌ”＋ｍＣ”１＋ｎＣ”２
に従って線形結合することによって前記最終輝度成分（Ｌ）を取得することであって、Ｌは前記最終輝度成分であり、Ｌ”は前記輝度成分であり、Ｃ”１およびＣ”２は前記２つのクロミナンス成分であり、ｍおよびｎはヌルでない係数である、該取得することと、
によって、前記２つの最終クロミナンス成分を取得するようにさらに構成されていることを特徴とする、前記デバイス。
【請求項１２】
プログラムがコンピュータ上で実行されたときに請求項１に記載の符号化方法のステップを実行するプログラム・コード命令を含む、コンピュータ・プログラム。
【請求項１３】
プログラムがコンピュータ上で実行されたときに請求項８に記載の復号方法のステップを実行するプログラム・コード命令を含む、コンピュータ・プログラム。
【請求項１４】
少なくとも請求項１に記載の符号化方法のステップをプロセッサに実行させる命令を記憶した、プロセッサ可読媒体。
【請求項１５】
少なくとも請求項８に記載の復号方法のステップをプロセッサに実行させる命令を記憶した、プロセッサ可読媒体。
【請求項１６】
プログラムがコンピューティング・デバイス上で実行されたときに請求項１〜９のいずれか１項に記載の方法のステップを実行するプログラム・コードの命令を担持する、非一時的記憶媒体。
【手続補正２】
【補正対象書類名】明細書
【補正対象項目名】０１９９
【補正方法】変更
【補正の内容】
【０１９９】
いくつかの実施態様について説明した。しかしながら、様々な修正を施すことが可能であることは理解されるであろう。例えば、様々な実施態様の要素を組み合わせたり、補足したり、修正したり、または除去したりして、他の実施態様を生み出すこともできる。さらに、当業者なら、開示した構造およびプロセスの代わりに他の構造およびプロセスを使用することができ、その結果得られる実施態様も、開示した実施態様と少なくとも実質的には同じである１つまたは複数の機能を、少なくとも実質的には同じである１つまたは複数の方法で実行して、少なくとも実質的には同じである１つまたは複数の結果を実現することになることを理解するであろう。従って、上記の実施態様およびその他の実施態様は、本願によって企図されている。
［付記１］
符号化されるカラー・ピクチャから少なくとも１つのクロミナンス成分を取得することを含む、色成分を有するカラー・ピクチャを符号化する方法において、
輝度成分の各画素（ｉ）の値に基づいて第１のファクタを決定することと、
前記少なくとも１つのクロミナンス成分を前記第１のファクタでスケーリングすることによって少なくとも１つの最終クロミナンス成分を取得することと、
前記少なくとも１つの最終クロミナンス成分を符号化すること（１３）と、
をさらに含むことを特徴とする、前記方法。
［付記２］
輝度成分（Ｌ）および２つの最終クロミナンス成分を取得することと、前記輝度成分（Ｌ）と前記２つの最終クロミナンス成分とを
Ｌ”＝Ｌ−ｍＣ”１−ｎＣ”２
に従って線形結合することによって最終輝度成分（Ｌ”）を取得すること（１２２）であって、Ｌは前記輝度成分であり、Ｌ”は前記最終輝度成分であり、Ｃ”１およびＣ”２は前記２つの最終クロミナンス成分であり、ｍおよびｎは係数である、該取得することと、
前記最終輝度成分を符号化すること（１３）と、
をさらに含む、付記１に記載の方法。
［付記３］
輝度成分（Ｌ）および２つの最終クロミナンス成分を取得することと、前記輝度成分（Ｌ）と前記２つの最終クロミナンス成分（Ｃ”１，Ｃ”２）とを
Ｌ”＝Ｌ−ｍａｘ（０，ｍＣ”１＋ｎＣ”２）
に従って線形結合することによって最終輝度成分（Ｌ”）を取得すること（１２２）であって、Ｌは前記輝度成分であり、Ｌ”は前記最終輝度成分であり、Ｃ”１およびＣ”２は前記２つの最終クロミナンス成分であり、ｍおよびｎは係数である、該取得することと、
前記最終輝度成分を符号化すること（１３）と、
をさらに含む、付記１に記載の方法。
［付記４］
前記係数ｍおよびｎをローカルまたは遠隔のメモリに記憶すること、および／または、前記係数ｍおよびｎをビットストリームに追加することをさらに含む、付記２または３に記載の方法。
［付記５］
前記第１のファクタは、前記輝度成分（Ｌ）の画素（ｉ）の特定の値についてルップアップ・テーブルから得られる、付記２から４のいずれか１項に記載の方法。
［付記６］
前記輝度成分（Ｌ）の画素（ｉ）の特定の値についての前記第１のファクタは、前記ルップアップ・テーブルの値を補間することによって得られる、付記５に記載の方法。
［付記７］
前記第１のファクタはさらに、前記係数ｍおよびｎに依存する、付記２から６のいずれか１項に記載の方法。
［付記８］
前記第１のファクタは、前記最終輝度成分（Ｌ”）および前記最終クロミナンス成分（Ｃ”１，Ｃ”２）から得られる色の色域と符号化される前記カラー・ピクチャの色の色域との間で計算される色域歪みが最小限に抑えられるように取得される、付記７に記載の方法。
［付記９］
符号化される前記カラー・ピクチャから輝度成分（Ｌ）および２つのクロミナンス成分（Ｃ１，Ｃ２）を取得すること（１１）は、
輝度成分（Ｌ）を取得すること（１３０）であって、
前記カラー・ピクチャの輝度（Ｙ）から変調値（Ｂａ）を取得すること（１２０）と、
前記カラー・ピクチャの前記輝度（Ｙ）を前記変調値（Ｂａ）で除算することによって、スケーリングされた輝度を取得することと、
前記輝度成分（Ｌ）のダイナミックが前記スケーリングされた輝度のダイナミックと比較して小さくなるように、前記スケーリングされた輝度に非線形関数を適用することによって前記輝度成分（Ｌ）を取得することと、
を含む、前記輝度成分（Ｌ）を取得することと、
２つのクロミナンス成分（Ｃ１，Ｃ２）を取得することであって、
前記輝度成分（Ｌ（ｉ））の画素（ｉ）の値と前記カラー・ピクチャ内の共通の位置にある画素（ｉ）の輝度値（Ｙ（ｉ））とによって決まる第２のファクタ（ｒ（Ｌ（ｉ）））を取得することと、
各色成分（Ｅｃ）に第２のファクタ（ｒ（Ｌ））を乗算することによって少なくとも１つの中間色成分（Ｅ’ｃ）を取得すること（１５０）と、
前記少なくとも１つの中間色成分（Ｅ’ｃ）から前記少なくとも２つのクロミナンス成分（Ｃ１，Ｃ２）を取得すること（１７０）と、
を含む、前記２つのクロミナンス成分（Ｃ１，Ｃ２）を取得することと、
を含む、付記１から８のいずれか１項に記載の方法。
［付記１０］
ビットストリームから少なくとも１つのクロミナンス成分を取得することと、
前記少なくとも１つのクロミナンス成分から少なくとも１つの最終クロミナンス成分を取得すること（２２）と、
前記少なくとも１つの最終クロミナンス成分から、復号されるカラー・ピクチャを取得すること（２３）と、を含む、ビットストリームからカラー・ピクチャを復号する方法において、
前記少なくとも１つの最終クロミナンス成分を取得すること（２２）が、
前記最終輝度成分（Ｌ）の各画素（ｉ）の値から第１のファクタを取得することと、
前記少なくとも１つのクロミナンス成分に前記第１のファクタを乗算すること（２２１）によって、前記少なくとも１つの最終クロミナンス成分を取得すること（２２２）と、を含むことを特徴とする、前記方法。
［付記１１］
輝度成分（Ｌ”）および２つのクロミナンス成分を取得することをさらに含み、前記最終輝度成分（Ｌ）は、前記輝度成分（Ｌ”）と前記２つのクロミナンス成分とを
Ｌ＝Ｌ”＋ｍＣ”１＋ｎＣ”２
に従って線形結合することによって取得され、Ｌは前記最終輝度成分であり、Ｌ”は前記輝度成分であり、Ｃ”１およびＣ”２は前記２つのクロミナンス成分であり、ｍおよびｎは係数である、付記１０に記載の方法。
［付記１２］
前記最終輝度成分（Ｌ）および前記２つの最終クロミナンス成分（Ｃ１，Ｃ２）から、復号される前記カラー・ピクチャを取得すること（２３）は、
第１の成分（Ｙ）を取得すること（２２０）であって、
結果的に生じる成分のダイナミックが前記最終輝度成分（Ｌ）のダイナミックと比較して大きくなるように、前記最終輝度成分（Ｌ）に非線形関数を適用することによって前記結果的に生じる成分を取得することと、
復号される前記カラー・ピクチャの輝度から変調値（Ｂａ）を取得することと、
前記結果的に生じる成分に前記変調値を乗算することによって前記第１の成分（Ｙ）を取得することと、
を含む、前記第１の成分（Ｙ）を取得することと、
前記最終輝度成分（Ｌ）の画素（ｉ）の値（Ｌ（ｉ））によって決まる第２のファクタ（ｒ（Ｌ（ｉ）））を取得することと、
前記第１の成分（Ｙ）、前記２つの最終クロミナンス成分（Ｃ１，Ｃ２）、および前記第２のファクタ（ｒ（Ｌ（ｉ）））から少なくとも１つの色成分（Ｅｃ）を取得すること（２３０）と、
前記少なくとも１つの色成分（Ｅｃ）を結合することによって、復号されたピクチャを形成することと、
を含む、付記１０または１１に記載の方法。
［付記１３］
符号化されるカラー・ピクチャから少なくとも１つのクロミナンス成分を取得するように構成されたプロセッサを含む、色成分を有するカラー・ピクチャを符号化するデバイスにおいて、前記プロセッサがさらに、
前記輝度成分の各画素（ｉ）の値に基づいて第１のファクタを決定し、
前記少なくとも１つのクロミナンス成分を前記第１のファクタでスケーリングすることによって少なくとも１つの最終クロミナンス成分を取得し、
前記少なくとも１つの最終クロミナンス成分を符号化する（１３）、
ように構成されていることを特徴とする、前記デバイス。
［付記１４］
ビットストリームから少なくとも１つのクロミナンス成分を取得し、
少なくとも１つのクロミナンス成分から少なくとも１つの最終クロミナンス成分を取得し（２２）、
前記少なくとも１つの最終クロミナンス成分から、復号されるカラー・ピクチャを取得する（２３）ように構成されたプロセッサを含む、ビットストリームからカラー・ピクチャを復号するデバイスにおいて、前記プロセッサが、
前記最終輝度成分（Ｌ）の各画素（ｉ）の値から第１のファクタを取得することと、
前記少なくとも１つのクロミナンス成分に前記第１のファクタを乗算することによって（２２１）、前記少なくとも１つの最終クロミナンス成分を取得すること（２２２）と、
を含む、前記少なくとも１つの最終クロミナンス成分を取得すること（２２）をさらに行うように構成されていることを特徴とする、前記デバイス。
［付記１５］
プログラムがコンピュータ上で実行されたときに付記１に記載の符号化方法のステップを実行するプログラム・コード命令を含む、コンピュータ・プログラム製品。
［付記１６］
プログラムがコンピュータ上で実行されたときに付記１０に記載の復号方法のステップを実行するプログラム・コード命令を含む、コンピュータ・プログラム製品。
［付記１７］
少なくとも付記１に記載の符号化方法のステップをプロセッサに実行させる命令を記憶した、プロセッサ可読媒体。
［付記１８］
少なくとも付記１０に記載の復号方法のステップをプロセッサに実行させる命令を記憶した、プロセッサ可読媒体。
［付記１９］
プログラムがコンピューティング・デバイス上で実行されたときに付記１〜１８のいずれか１項に記載の方法のステップを実行するプログラム・コードの命令を担持する、非一時的記憶媒体。